(57)【要約】【課題】認証サーバを用意する必要がなく、またユーザの個人情報を予め用意しておかなくとも認証ができる機能を備えたネットワーク参加認証システムを提供することを目的とする。【解決手段】参加者端末の参加要求情報送信手段が参加要求情報を送信し、認証者端末の参加可否判定催促手段が参加要求情報を受信して参加者端末の参加可否の判定を認証者に促し、認証者端末の認証情報送信手段が認証者の判定に基づいて参加の許可または不許可を表す参加可否情報を参加者端末に送信処理する。また参加者端末の参加判定ルール記憶手段参加判定ルールを記憶し、参加者端末の参加可否判定手段が参加可否情報と参加判定ルールとに基づいて認証者端末との情報共有接続を行なうか否かを判定する。【選択図】  図１
2004213532.tif 000002
【特許請求の範囲】
【請求項１】
参加者端末と認証者端末とを備えたネットワーク参加認証システムであって、
前記参加者端末が、参加要求情報を送信処理する参加要求情報送信手段を備え、
前記認証者端末が、前記参加要求情報を受信して前記参加者端末の参加可否の判定を認証者に促す参加可否判定催促手段と、
前記認証者の判定に基づいて前記参加の許可または不許可を表す参加可否情報を前記参加者端末に送信処理する参加可否情報送信手段とを備え、
前記参加者端末が、さらに、前記認証者端末から受信した前記参加可否情報に基づいて情報共有接続を行なうか否かを決定する参加判定ルールを記憶する参加判定ルール記憶手段と、
受信した前記参加可否情報と前記参加判定ルールに基づいて前記認証者端末との情報共有接続を行なうか否かを判定する参加可否判定手段を備える
ことを特徴とするネットワーク参加認証システム。
【請求項２】
前記認証者端末が、前記参加要求情報の受信に基づいて前記参加者端末へ前記認証者端末識別情報を送信処理する認証者端末識別情報送信手段と、
前記認証者端末識別情報を送信した後に前記参加可否の判定を前記認証者に促す前記参加可否判定催促手段とを備え、
前記参加者端末が、前記認証者端末識別情報を受信する認証者端末識別情報受信手段を備え、
前記参加判定ルールは、前記認証者端末識別情報を送信した全ての前記認証者端末から、参加の許可を表す前記参加可否情報を前記認証者端末識別情報受信手段で受信した場合のみ前記認証者端末の全てとの情報共有接続を行なうと判断するルールである
ことを特徴とする請求項１に記載のネットワーク参加認証システム。
【請求項３】
前記認証者端末が、前記参加要求情報の受信に基づいて前記参加者端末へ前記認証者端末識別情報を送信処理する認証者端末識別情報送信手段と、
前記認証者端末識別情報を送信した後に前記参加可否の判定を前記認証者に促す前記参加可否判定催促手段とを備え、
前記参加者端末が、前記認証者端末識別情報を受信する認証者端末識別情報受信手段を備え、
前記参加判定ルールは、前記認証者端末識別情報を送信した前記認証者端末のうちのいずれかの認証者端末から、参加の許可を表す前記参加可否情報を前記認証者端末識別情報受信手段で受信した場合に前記認証者端末の全てとの情報共有接続を行なうと判断するルールである
ことを特徴とする請求項１に記載のネットワーク参加認証システム。
【請求項４】
前記認証者端末が、前記参加要求情報の受信に基づいて前記参加者端末へ前記認証者端末識別情報を送信処理する認証者端末識別情報送信手段と、
前記認証者端末識別情報を送信した後に前記参加可否の判定を前記認証者に促す前記参加可否判定催促手段とを備え、
前記参加者端末が、前記認証者端末識別情報を受信する認証者端末識別情報受信手段を備え、
前記参加判定ルールは、前記認証者端末識別情報を送信した前記認証者端末のうちの特定の認証者端末から、参加の許可を表す前記参加可否情報を前記認証者端末識別情報受信手段で受信した場合に前記認証者端末の全てとの情報共有接続を行なうと判断するルールである
ことを特徴とする請求項１に記載のネットワーク参加認証システム。
【請求項５】
前記認証者端末が、前記参加要求情報の受信に基づいて前記参加者端末へ前記認証者端末識別情報を送信処理する認証者端末識別情報送信手段と、
前記認証者端末識別情報を送信した後に前記参加可否の判定を前記認証者に促す前記参加可否判定催促手段とを備え、
前記参加者端末が、前記認証者端末識別情報を受信する認証者端末識別情報受信手段を備え、
前記参加判定ルールは、前記認証者端末識別情報を送信した前記認証者端末のうちのいずれかから、参加の許可を表す前記参加可否情報を前記認証者端末識別情報受信手段で受信した場合に、当該参加の許可を表す前記参加可否情報を送信した前記認証者端末のみと前記情報共有接続を行なうと判断するルールである
ことを特徴とする請求項１に記載のネットワーク参加認証システム。
【請求項６】
前記認証者端末の前記参加可否判定催促手段が、前記情報共有接続できる情報の設定を前記認証者に促し、
前記参加者端末の前記参加可否判定手段が、前記設定された情報と情報共有接続を行なうか否かを判定する
ことを特徴とする請求項１に記載のネットワーク参加認証システム。
【請求項７】
前記参加者端末は、予め、参加可否判定催促手段と、参加可否情報送信手段と、認証者端末識別情報送信手段とを備えており、
前記参加要求情報を前記認証者端末に送信してから所定の時間を過ぎても前記認証者端末より前記認証者端末識別情報を受信できない場合には、前記参加可否判定催促手段と、参加可否情報送信手段と、認証者端末識別情報送信手段とを用いて前記認証者端末として動作する
ことを特徴とする請求項２から請求項５のいずれかに記載のネットワーク参加認証システム。
【請求項８】
離脱者端末と認証者端末とを備えたネットワーク参加認証システムであって、
前記離脱者端末が、前記認証者端末へ離脱要求情報を送信処理する離脱要求情報送信手段を備え、
前記認証者端末が、前記離脱要求情報を受信して前記離脱者端末の離脱可否の判定を認証者に促す離脱可否判定催促手段と、
前記認証者の判定に基づいて前記離脱の許可または不許可を表す離脱可否情報を前記離脱者端末に送信処理する離脱可否情報送信手段とを備え、
前記離脱者端末が、さらに、前記認証者端末から受信した前記離脱可否情報に基づいて情報共有接続からの離脱を行なうか否かを決定する離脱判定ルールを記憶する離脱判定ルール記憶手段と、
受信した前記離脱可否情報と前記離脱判定ルールに基づいて前記認証者端末との情報共有接続からの離脱を行なうか否かを判定する離脱可否判定手段を備える
ことを特徴とするネットワーク参加認証システム。
【請求項９】
参加者端末と認証者端末とを備えたネットワーク参加認証システムにおけるネットワーク参加認証方法であって、
前記参加者端末が、参加要求情報を送信処理する参加要求情報送信過程と、
前記認証者端末が、前記参加要求情報を受信して前記参加者端末の参加可否の判定を認証者に促す参加可否判定催促過程と、
前記認証者端末が、前記認証者の判定に基づいて前記参加の許可または不許可を表す参加可否情報を前記参加者端末に送信処理する参加可否情報送信過程と、
前記参加者端末が、さらに、受信した前記参加可否情報と、前記認証者端末から受信した前記参加可否情報に基づいて情報共有接続を行なうか否かを決定する参加判定ルールとを用いて、前記認証者端末との情報共有接続を行なうか否かを判定する参加可否判定過程と、
を備えることを特徴とするネットワーク参加認証方法。
【請求項１０】
離脱者端末と認証者端末とを備えたネットワーク参加認証システムにおけるネットワーク参加離脱認証方法であって、
前記離脱者端末が、前記認証者端末へ離脱要求情報を送信処理する離脱要求情報送信過程と、
前記認証者端末が、前記離脱要求情報を受信して前記離脱者端末の離脱可否の判定を認証者に促す離脱可否判定催促過程と、
前記認証者端末が、前記認証者の判定に基づいて前記離脱の許可または不許可を表す離脱可否情報を前記離脱者端末に送信処理する離脱可否情報送信過程と、
前記離脱者端末が、さらに、受信した前記離脱可否情報と、前記認証者端末から受信した前記離脱可否情報に基づいて情報共有接続からの離脱を行なうか否かを決定する離脱判定ルールとを用いて、前記認証者端末との情報共有接続からの離脱を行なうか否かを判定する離脱可否判定過程と、
を備えることを特徴とするネットワーク参加離脱認証方法。
【発明の詳細な説明】
【０００１】
【発明の属する技術分野】
この発明は、コンピュータシステムに係り、特に、ネットワーク参加認証システム及びネットワーク参加認証方法に関するものである。
【０００２】
【従来の技術】
従来、ネットワークを介して接続された複数の端末を用いて、各端末を利用するユーザが特定のアプリケーション上で共同作業を行なう場合には、各ユーザは当該アプリケーションを用いたネットワーク上での共同作業を可能にするためにネットワークに接続された専用の認証サーバで各端末の認証を受ける。そして各ユーザは認証を受けた後に当該アプリケーションの機能を提供するサーバに端末を接続させて当該アプリケーションを用いた共同作業を行なう（例えば、特許文献１参照。）。
【０００３】
【特許文献１】
特開平７−２００１３３号公報
【０００４】
【発明が解決しようとする課題】
しかしながら、上述の専用の認証サーバを用いて、アプリケーションでの共同作業に参加する端末の認証を行なう方法では、予め認証サーバを用意し、また、各端末を利用するユーザの個人情報（例えばユーザＩＤやパスワードなど）を当該認証サーバに登録する為に予め個人情報を用意しておかなければならなかった。
そこでこの発明は、認証サーバを用意する必要がなく、また上述のアプリケーションを利用してネットワーク上の共同作業を行なうユーザの個人情報を予め用意しておかなくとも、当該アプリケーションを利用した共同作業に参加するための認証ができる機能を備えたネットワーク参加認証システム及びネットワーク参加認証方法を提供することを目的としている。
【０００５】
【課題を解決するための手段】
本発明は、上述の課題を解決すべくなされたもので、参加者端末と認証者端末とを備えたネットワーク参加認証システムであって、前記参加者端末が、参加要求情報を送信処理する参加要求情報送信手段を備え、前記認証者端末が、前記参加要求情報を受信して前記参加者端末の参加可否の判定を認証者に促す参加可否判定催促手段と、前記認証者の判定に基づいて前記参加の許可または不許可を表す参加可否情報を前記参加者端末に送信処理する参加可否情報送信手段とを備え、前記参加者端末が、さらに、前記認証者端末から受信した前記参加可否情報に基づいて情報共有接続を行なうか否かを決定する参加判定ルールを記憶する参加判定ルール記憶手段と、受信した前記参加可否情報と前記参加判定ルールに基づいて前記認証者端末との情報共有接続を行なうか否かを判定する参加可否判定手段を備えることを特徴とするネットワーク参加認証システムである。
【０００６】
上述の構成によれば、参加者端末と認証者端末とを備えたネットワーク参加認証システムにおいて、参加者端末の参加要求情報送信手段が参加要求情報を送信し、認証者端末の参加可否判定催促手段が参加要求情報を受信して参加者端末の参加可否の判定を認証者に促し、認証者端末の参加可否情報送信手段が認証者の判定に基づいて参加の許可または不許可を表す参加可否情報を参加者端末に送信処理する。また、参加者端末の参加判定ルール記憶手段が認証者端末から受信した参加可否情報に基づいて情報共有接続を行なうか否かを決定する参加判定ルールを記憶し、参加者端末の参加可否判定手段が受信した参加可否情報と参加判定ルールに基づいて認証者端末との情報共有接続を行なうか否かを判定する。
これにより、認証者端末で参加者端末の認証を行なうので、認証サーバを用意する必要がない。また参加者端末の識別情報となるＩＰアドレスと当該参加者端末を操作するユーザ名を含む参加要求情報が参加者端末から送信されて、この参加要求情報により認証者端末を操作するユーザが参加の許可または不許可を指定するので、参加者端末の操作をするユーザの個人情報を予め用意しなくとも認証を行なうことができる。
【０００７】
また、本発明は、上述のネットワーク参加認証システムにおいて、前記認証者端末が、前記参加要求情報の受信に基づいて前記参加者端末へ前記認証者端末識別情報を送信処理する認証者端末識別情報送信手段と、前記認証者端末識別情報を送信した後に前記参加可否の判定を前記認証者に促す前記参加可否判定催促手段とを備え、前記参加者端末が、前記認証者端末識別情報を受信する認証者端末識別情報受信手段を備え、前記参加判定ルールは、前記認証者端末識別情報を送信した全ての前記認証者端末から、参加の許可を表す前記参加可否情報を前記認証者端末識別情報受信手段で受信した場合のみ前記認証者端末の全てとの情報共有接続を行なうと判断するルールであることを特徴とする。
【０００８】
上述の構成によれば、本発明は、ネットワーク参加認証システムにおいて、認証者端末の認証者端末識別情報送信手段が参加要求情報の受信に基づいて参加者端末へ認証者端末識別情報を送信し、認証者端末の参加可否判定催促手段が認証者端末識別情報を送信した後に参加可否の判定を認証者に促す。そして、参加者端末の認証者端末識別情報受信手段が認証者端末識別情報を受信する。そして参加者端末の参加可否判定手段は、認証者端末との情報共有接続を行なうか否かを判定する際に、認証者端末識別情報を送信した全ての認証者端末から、参加の許可を表す参加可否情報を認証者端末識別情報受信手段で受信した場合のみ前記認証者端末の全てとの情報共有接続を行なうと判断する参加判定ルールを用いる。
これにより、ネットワークに予め接続された認証者端末全てから参加の許可を表す参加可否情報を受信することで参加者端末は認証者端末の全てとの情報共有接続を行なうことができる。
【０００９】
また、本発明は、上述のネットワーク参加認証システムにおいて、前記認証者端末が、前記参加要求情報の受信に基づいて前記参加者端末へ前記認証者端末識別情報を送信処理する認証者端末識別情報送信手段と、前記認証者端末識別情報を送信した後に前記参加可否の判定を前記認証者に促す前記参加可否判定催促手段とを備え、前記参加者端末が、前記認証者端末識別情報を受信する認証者端末識別情報受信手段を備え、前記参加判定ルールは、前記認証者端末識別情報を送信した前記認証者端末のうちのいずれかの認証者端末から、参加の許可を表す前記参加可否情報を前記認証者端末識別情報受信手段で受信した場合に前記認証者端末の全てとの情報共有接続を行なうと判断するルールであることを特徴とする。
【００１０】
上述の構成によれば、本発明は、ネットワーク参加認証システムにおいて、認証者端末の認証者端末識別情報送信手段が参加要求情報の受信に基づいて参加者端末へ認証者端末識別情報を送信し、認証者端末の参加可否判定催促手段が認証者端末識別情報を送信した後に参加可否の判定を認証者に促す。そして、参加者端末の認証者端末識別情報受信手段が認証者端末識別情報を受信する。そして参加者端末の参加可否判定手段は、認証者端末との情報共有接続を行なうか否かを判定する際に、認証者端末識別情報を送信した認証者端末のうちのいずれかの認証者端末から、参加の許可を表す参加可否情報を認証者端末識別情報受信手段で受信した場合に認証者端末の全てとの情報共有接続を行なうと判断する参加判定ルールを用いる。
これにより、ネットワークに予め接続された認証者端末のうちのいずれかから参加の許可を表す参加可否情報を受信することで参加者端末は認証者端末の全てとの情報共有接続を行なうことができる。
【００１１】
また、本発明は、上述のネットワーク参加認証システムにおいて、前記認証者端末が、前記参加要求情報の受信に基づいて前記参加者端末へ前記認証者端末識別情報を送信処理する認証者端末識別情報送信手段と、前記認証者端末識別情報を送信した後に前記参加可否の判定を前記認証者に促す前記参加可否判定催促手段とを備え、前記参加者端末が、前記認証者端末識別情報を受信する認証者端末識別情報受信手段を備え、前記参加判定ルールは、前記認証者端末識別情報を送信した前記認証者端末のうちの特定の認証者端末から、参加の許可を表す前記参加可否情報を前記認証者端末識別情報受信手段で受信した場合に前記認証者端末の全てとの情報共有接続を行なうと判断するルールであることを特徴とする。
【００１２】
上述の構成によれば、本発明は、ネットワーク参加認証システムにおいて、認証者端末の認証者端末識別情報送信手段が参加要求情報の受信に基づいて参加者端末へ認証者端末識別情報を送信し、認証者端末の参加可否判定催促手段が認証者端末識別情報を送信した後に参加可否の判定を認証者に促す。そして、参加者端末の認証者端末識別情報受信手段が認証者端末識別情報を受信する。そして参加者端末の参加可否判定手段は、認証者端末との情報共有接続を行なうか否かを判定する際に、認証者端末識別情報を送信した認証者端末のうちの特定の認証者端末から、参加の許可を表す参加可否情報を認証者端末識別情報受信手段で受信した場合に認証者端末の全てとの情報共有接続を行なうと判断する参加判定ルールを用いる。
これにより、ネットワークに予め接続された認証者端末のうちの特定の認証者端末から参加の許可を表す参加可否情報を受信することで参加者端末は認証者端末の全てとの情報共有接続を行なうことができる。
【００１３】
また、本発明は、上述のネットワーク参加認証システムにおいて、前記認証者端末が、前記参加要求情報の受信に基づいて前記参加者端末へ前記認証者端末識別情報を送信処理する認証者端末識別情報送信手段と、前記認証者端末識別情報を送信した後に前記参加可否の判定を前記認証者に促す前記参加可否判定催促手段とを備え、前記参加者端末が、前記認証者端末識別情報を受信する認証者端末識別情報受信手段を備え、前記参加判定ルールは、前記認証者端末識別情報を送信した前記認証者端末のうちのいずれかから、参加の許可を表す前記参加可否情報を前記認証者端末識別情報受信手段で受信した場合に、当該参加の許可を表す前記参加可否情報を送信した前記認証者端末のみと前記情報共有接続を行なうと判断するルールであることを特徴とする。
【００１４】
上述の構成によれば、本発明は、ネットワーク参加認証システムにおいて、認証者端末の認証者端末識別情報送信手段が参加要求情報の受信に基づいて参加者端末へ認証者端末識別情報を送信し、認証者端末の参加可否判定催促手段が認証者端末識別情報を送信した後に参加可否の判定を認証者に促す。そして、参加者端末の認証者端末識別情報受信手段が認証者端末識別情報を受信する。そして参加者端末の参加可否判定手段は、認証者端末との情報共有接続を行なうか否かを判定する際に、認証者端末識別情報を送信した認証者端末のうちのいずれかから、参加の許可を表す参加可否情報を認証者端末識別情報受信手段で受信した場合に、当該参加の許可を表す参加可否情報を送信した認証者端末のみと情報共有接続を行なうと判断する参加判定ルールを用いる。
これにより、ネットワークに予め接続された認証者端末のうち、参加の許可を表す参加可否情報を送信した認証者端末とのみ情報共有接続をすることができる。
【００１５】
また、本発明は、上述のネットワーク参加認証システムにおいて、前記認証者端末の前記参加可否判定催促手段が、前記情報共有接続できる情報の設定を前記認証者に促し、前記参加者端末の前記参加可否判定手段が、前記設定された情報と情報共有接続を行なうか否かを判定することを特徴とする。これにより、参加者端末と認証者端末との間で状況共有接続できる情報を特定することができる。
【００１６】
また、本発明は、上述のネットワーク参加認証システムにおいて、前記参加者端末は、予め、参加可否判定催促手段と、参加可否情報送信手段と、認証者端末識別情報送信手段とを備えており、前記参加要求情報を前記認証者端末に送信してから所定の時間を過ぎても前記認証者端末より前記認証者端末識別情報を受信できない場合には、前記参加可否判定催促手段と、参加可否情報送信手段と、認証者端末識別情報送信手段とを用いて前記認証者端末として動作することを特徴とする。これにより、参加者端末が認証者端末として動作することができる。
【００１７】
また、本発明は、離脱者端末と認証者端末とを備えたネットワーク参加認証システムであって、前記離脱者端末が、前記認証者端末へ離脱要求情報を送信処理する離脱要求情報送信手段を備え、前記認証者端末が、前記離脱要求情報を受信して前記離脱者端末の離脱可否の判定を認証者に促す離脱可否判定催促手段と、前記認証者の判定に基づいて前記離脱の許可または不許可を表す離脱可否情報を前記離脱者端末に送信処理する離脱可否情報送信手段とを備え、前記離脱者端末が、さらに、前記認証者端末から受信した前記離脱可否情報に基づいて情報共有接続からの離脱を行なうか否かを決定する離脱判定ルールを記憶する離脱判定ルール記憶手段と、受信した前記離脱可否情報と前記離脱判定ルールに基づいて前記認証者端末との情報共有接続からの離脱を行なうか否かを判定する離脱可否判定手段を備えることを特徴とするネットワーク参加認証システムである。
【００１８】
上述の構成によれば、離脱者端末と認証者端末とを備えたネットワーク参加認証システムにおいて、離脱者端末の離脱要求情報送信手段が認証者端末へ離脱要求情報を送信し、認証者端末の離脱可否判定催促手段が離脱要求情報を受信して離脱者端末の離脱可否の判定を認証者に促す。また認証者端末の離脱可否情報送信手段が認証者の判定に基づいて離脱の許可または不許可を表す離脱可否情報を離脱者端末に送信処理する。そして、離脱者端末の離脱判定ルール記憶手段が認証者端末から受信した離脱可否情報に基づいて情報共有接続からの離脱を行なうか否かを決定する離脱判定ルールを記憶し、離脱者端末の離脱可否判定手段が受信した離脱可否情報と離脱判定ルールに基づいて認証者端末との情報共有接続からの離脱を行なうか否かを判定する。
これにより、認証者端末が離脱者端末との情報共有接続をしている場合、認証者端末は、離脱者端末の情報共有接続からの離脱時に通知を受けるので、例えば、認証者端末側のユーザが離脱者端末側で記憶する情報に書き込みを行っている場合でも適当な操作により、情報への書き込みの終了または継続を判断することができる。
【００１９】
また、本発明は、参加者端末と認証者端末とを備えたネットワーク参加認証システムにおけるネットワーク参加認証方法であって、前記参加者端末が、参加要求情報を送信処理する参加要求情報送信過程と、前記認証者端末が、前記参加要求情報を受信して前記参加者端末の参加可否の判定を認証者に促す参加可否判定催促過程と、前記認証者端末が、前記認証者の判定に基づいて前記参加の許可または不許可を表す参加可否情報を前記参加者端末に送信処理する参加可否情報送信過程と、前記参加者端末が、さらに、受信した前記参加可否情報と、前記認証者端末から受信した前記参加可否情報に基づいて情報共有接続を行なうか否かを決定する参加判定ルールとを用いて、前記認証者端末との情報共有接続を行なうか否かを判定する参加可否判定過程とを備えることを特徴とするネットワーク参加認証方法である。
【００２０】
また、本発明は、離脱者端末と認証者端末とを備えたネットワーク参加認証システムにおけるネットワーク参加離脱認証方法であって、前記離脱者端末が、前記認証者端末へ離脱要求情報を送信処理する離脱要求情報送信過程と、前記認証者端末が、前記離脱要求情報を受信して前記離脱者端末の離脱可否の判定を認証者に促す離脱可否判定催促過程と、前記認証者端末が、前記認証者の判定に基づいて前記離脱の許可または不許可を表す離脱可否情報を前記離脱者端末に送信処理する離脱可否情報送信過程と、前記離脱者端末が、さらに、受信した前記離脱可否情報と、前記認証者端末から受信した前記離脱可否情報に基づいて情報共有接続からの離脱を行なうか否かを決定する離脱判定ルールとを用いて、前記認証者端末との情報共有接続からの離脱を行なうか否かを判定する離脱可否判定過程とを備えることを特徴とするネットワーク参加離脱認証方法である。
【００２１】
【発明の実施の形態】
以下、本発明の一実施形態によるネットワーク参加認証システムを図面を参照して説明する。
【００２２】
図１は、この発明の一実施形態によるネットワーク参加認証システムの機能を備えたアプリケーションの制御によりネットワークを構成した参加者端末１と認証者端末２の機能ブロック図である。
この図において、符号１は参加者端末である。また２は認証者端末である。そして、参加者端末１において、符号１１は、認証者端末２に参加要求情報を送信する参加要求情報送信部である。また１２は、認証者端末２より認証者端末識別情報を受信する認証者端末識別情報受信部である。また１３は、認証者端末２に離脱要求情報を送信する離脱要求情報送信部である。また１４は、アプリケーションの制御により構成されるネットワークへの参加可否を判定する参加可否判定部である。また１５は、アプリケーションの制御により構成されるネットワークからの離脱可否を判定する離脱可否判定部である。また、１６は既にアプリケーションの制御によりネットワークを構成している認証者端末２の一覧を参加者端末１の表示部へ表示する認証者端末一覧作成部である。また１７は、参加者端末１を操作するユーザのユーザ名と、物理的な通信ネットワークに接続した際に参加者端末１に与えられたＩＰ（Ｉｎｔｅｒｎｅｔ  Ｐｒｏｔｏｃｏｌ）アドレスを記憶するユーザ情報記憶部である。また１８は、参加判定ルールを記憶する参加判定ルール記憶部である。また１９は、離脱判定ルールを記憶する離脱判定ルール記憶部である。
【００２３】
また、認証者端末２において、符号２１は参加可否情報を送信する参加可否情報送信部である。また２２は認証者端末識別情報を送信する認証者端末識別情報送信部である。また２３は離脱可否情報を送信する離脱可否情報送信部である。また２４は、参加者端末１のネットワークへの参加の許可または不許可の判定を催促するための参加可否判定画面を表示部に表示し、また、認証者端末２のユーザの判定に基づいて参加者端末１の当該ネットワークへの参加の許可または不許可を示す参加可否情報を生成する参加可否判定催促部である。また２５は、参加者端末１のネットワークからの離脱の許可または不許可の判定を催促するための離脱可否判定画面を表示部に表示し、また、認証者端末２のユーザの指定に基づいて参加者端末１の当該ネットワークからの離脱の許可または不許可を示す離脱可否情報を生成する離脱可否判定催促部である。また２６は、認証者端末２を操作するユーザのユーザ名と、物理的な通信ネットワークに接続した際に認証者端末２に与えられたＩＰアドレスを記憶するユーザ情報記憶部である。
【００２４】
図２は、ネットワーク参加認証システムの機能を備えたアプリケーションの制御により、複数の認証者端末２がネットワークを構成している状況を示す図である。そして、この図が示すように、当該ネットワークに参加者端末１が参加しようとする際に認証者端末２側に参加者端末１のネットワークへの参加の許可または不許可を判定できる参加可否判定画面が表示される。そして認証者端末２のユーザが当該ネットワークへの参加の許可を認証端末２の表示部に表示された参加可否判定画面で行なう事により、参加者端末１は当該ネットワークへ参加することができる。
また、ネットワークから参加者端末１が離脱しようとする際に認証者端末２側に参加者端末１のネットワークからの離脱の許可または不許可を判定できる離脱可否判定画面が表示される。そして認証者端末２のユーザが当該ネットワークからの離脱の許可を認証端末２の表示部に表示された離脱可否判定画面で行なう事により、参加者端末１は当該ネットワークから離脱することができる。
【００２５】
次に、参加者端末１がネットワークへ参加する際の参加者端末１と認証者端末２の処理を図３を用いて説明する。
【００２６】
図３は参加者端末１が認証者端末２の構成するネットワークに参加する際の処理を示すチャート図である。
まず、参加者端末１は、認証者端末２が物理的に接続されている通信ネットワークに接続され、既に認証者端末２とのデータの送受信が可能な状態になっている。ここで、参加者端末１のユーザＡが参加者端末１において上述のネットワーク参加認証システムの機能を備えたアプリケーションを起動させることにより、参加者端末１の参加要求情報送信部１１はユーザ情報記憶部１７よりユーザＡのユーザ名と参加者端末１に与えられているＩＰアドレスとを読み取り、当該ユーザ名及びＩＰアドレスを含む参加要求情報を認証者端末２へ送信する（ステップＳ１）。
【００２７】
次に、通信ネットワークに接続されている認証者端末２が参加者端末１より送信された参加要求情報を受信する（ステップＳ２）。すると認証者端末識別情報送信部２２が、ユーザ情報記憶部２６に記憶している認証者端末２を操作するユーザＢのユーザ名と、当該認証者端末２に与えられているＩＰアドレスとを読み取り、当該ユーザ名及びＩＰアドレスとを含む認証者端末識別情報を参加者端末１に送信する（ステップＳ３）。
【００２８】
参加者端末１の参加可否判定部１４は、ステップＳ１の後、認証者端末２から認証者端末識別情報が送信されてくるかどうか判断し（ステップＳ４）、また、参加要求情報を送信してから所定の時間だけ待機する。ここで、所定時間内に参加者端末１の認証者端末識別情報受信部１２が認証者端末識別情報を受信すると、参加可否判定部１４は、当該認証者端末識別情報を認証者端末一覧作成部１６に転送する。そして、認証者端末一覧作成部１６は転送を受けた認証者端末識別情報に含まれるＩＰアドレスとユーザ名を対応付けた認証者端末一覧のデータを作成して記憶する。また、認証者端末一覧作成部１６は記憶した認証者端末一覧を参加者端末１の表示部に表示する（ステップＳ５）。
【００２９】
また、認証者端末２においてはステップＳ３の後、参加可否判定催促部２４が、ステップＳ２で受信した参加要求情報に含まれるユーザ名とＩＰアドレスを表示した参加可否判定画面を作成し認証者端末２の表示部に表示する（ステップＳ６）。尚、この参加可否判定画面には、参加者端末１のネットワークへの参加の「許可」、「不許可」を指定するボタンが表示されている。そして、当該参加可否判定画面において認証者端末２のユーザが「許可」または「不許可」のボタンを指定する。ユーザからの「許可」または「不許可」の指定は参加可否判定催促部２４が受付ける。そして、認証者端末２の参加可否判定催促部２４はユーザからの「許可」または「不許可」の指定に基づいて、「許可」または「不許可」のどちらかを示す参加可否情報を生成する（ステップＳ７）。そして、参加可否情報送信部２１が参加可否情報を参加者端末１に送信する（ステップＳ８）。
【００３０】
次に、参加者端末１の参加可否判定部１４が認証者端末２から参加可否情報を受信する。そして、参加可否判定部１４が参加可否情報に基づいて、ネットワークへの参加の可否を判定する（ステップＳ９）。ここで、参加可否判定部１４は、ネットワーク参加認証システムの機能を備えたアプリケーションの制御により構成されるネットワークへの参加者端末１の参加の可否を判定する際に、例えば、認証者端末一覧に表示した全ての認証者端末２から参加の「許可」を示す参加可否情報を受信した場合にのみネットワークへ参加すると判定する参加判定ルールや、認証者端末２のうちの特定の認証者端末２から参加の「許可」を示す参加可否情報を受信した場合にネットワークへ参加すると判定する参加判定ルールや、また、認証者端末２のいずれかから参加の「許可」を示す認証情報を受信すればネットワークへ参加すると判定する参加判定ルールを用いて、ネットワークへの参加の可否の判定を行なう。
【００３１】
そして、参加者端末１の参加可否判定部１４はステップＳ９においてネットワークへ参加すると判定した場合には、上述のアプリケーションの制御により構築されるネットワークへの参加の処理を行なう（ステップＳ１０）。また、参加可否判定部１４は、ステップＳ９においてネットワークへ参加しないと判定した場合には、ネットワークへの不参加の処理（例えば、表示部へネットワークへの参加不可能の表示）を行なう（ステップＳ１１）。
尚、ネットワークへの参加とは具体的には上述のアプリケーションを用いることにより当該ネットワークに接続された端末間で当該アプリケーションが管理する情報の共有を行なうことを言う。
【００３２】
また、参加者端末１は、予め認証者端末２の機能を備えており、ステップＳ４において、所定の時間が経過しても認証者端末識別情報の受信を受けない場合には、参加可否判定部１４は通信ネットワークに接続されている認証者端末２が存在しないと判断して（ステップＳ１２）、その後、認証者端末２として動作する（ステップＳ１３）。そして、他の参加者端末１が物理的な通信ネットワークに接続されて参加要求情報を送信するのを待つ。
【００３３】
また、参加者端末１の参加可否判定部１４は、上述した参加判定ルール以外にも、例えば、ネットワークへの参加の「許可」を表す参加可否情報を送信した認証者端末２のみと情報共有の接続するという参加判定ルールを用いる場合があっても良い。
また、上述の参加者端末１のネットワークへの参加において、認証者端末２側で共有できる情報の範囲を指定できるようにしても良い。この場合、例えば、ステップＳ６において、参加可否判定催促部２４が、アクセスレベルの指定ができる項目を備えた参加可否判定画面を表示部に表示し、認証者端末２のユーザが当該アクセスレベルを指定する。
【００３４】
ここで例えば、アクセスレベルが１〜３まである場合には
・アクセスレベル１：画面参照が可能
・アクセスレベル２：ファイル参照、画面参照が可能
・アクセスレベル３：ファイル共有（参照及び変更）、画面参照が可能
などの３つのアクセスレベルが当該参加可否判定画面において指定可能となる。
そして、認証者端末２のユーザＢが参加可否判定画面において上述のアクセスレベルのうちのいずれかの「許可」の指定をした場合には、認証者端末２の参加可否判定催促部２４は当該アクセスレベルの情報と「許可」を示す参加可否情報を作成し、参加可否情報送信部２１が当該参加可否情報を参加者端末１に送信する。これにより、参加者端末１は参加可否情報に含まれるアクセスレベルの情報に基いて認証者端末２との情報共有が可能となる。
【００３５】
次に、参加者端末１がアプリケーションの制御により構築されるネットワークから離脱する際の参加者端末１と認証者端末２の処理を図４を用いて説明する。
【００３６】
図４は参加者端末１がアプリケーションの制御により構成されるネットワークから離脱する際の処理を示す図である。
まず、参加者端末１のユーザＡがアプリケーションの終了作業をすることにより、参加者端末１の離脱要求情報送信部１３はユーザ情報記憶部１７よりユーザＡのユーザ名と参加者端末１に与えられているＩＰアドレスとを読み取り、当該ユーザ名及びＩＰアドレスを含む離脱要求情報を通信ネットワーク上の認証者端末２へ送信する（ステップＳ１４）。
【００３７】
次に、通信ネットワークに接続されている認証者端末２は参加者端末１より送信された離脱要求情報を受信する（ステップＳ１５）。そして、離脱可否判定催促部２５は離脱要求情報に含まれるユーザ名とＩＰアドレスを表示した離脱可否判定画面を認証者端末２の表示部に表示する（ステップＳ１６）。そして、この離脱可否判定画面においては参加者端末１のネットワークからの離脱の「許可」、「不許可」を指定するボタンが表示されている。そして、当該離脱可否判定画面において認証者端末２のユーザＢが「許可」または「不許可」のボタンを指定する。そして、認証者端末２の離脱可否判定催促部２５はユーザＢからの「許可」または「不許可」の指定を受付け（ステップＳ１７）、当該離脱の「許可」または「不許可」のどちらかを示す離脱可否情報を生成する。そして、離脱可否情報送信部２３が離脱可否情報を参加者端末１に送信する（ステップＳ１８）。
【００３８】
次に、参加者端末１の離脱可否判定部１５が認証者端末２から離脱可否情報を受信する。そして、参加者端末１の離脱可否判定部１５が離脱可否情報に基づいて離脱の可否を判定する（ステップＳ１９）。ここで、離脱可否判定部１５は参加者端末１のネットワークからの離脱の可否の判定を行なう際に、例えば、認証者端末一覧作成部１６が記憶している認証者端末一覧のデータと、全ての認証者端末２から離脱の「許可」を示す離脱可否情報を受信した場合にのみネットワークから離脱すると判定する離脱判定ルールや、認証者端末２のうちの特定の認証者端末２から離脱の「許可」を示す離脱可否情報を受信した場合にネットワークから離脱すると判定する離脱判定ルールや、また、認証者端末のいずれかから離脱の「許可」を示す認証情報を受信すればネットワークから離脱すると判断する離脱判定ルールなどを用いて、ネットワークへの参加の可否の判断を行なう。尚離脱可否判定部１５は離脱判定ルール記憶部１９から離脱判定ルールを読み取って離脱の可否の判定を行なう。
【００３９】
尚、参加者端末１の離脱可否判定部１５は、参加者端末１のデータ記憶部（図示せず）で記憶しているデータを、当該ネットワークに参加している他の端末が共有して、編集作業をしている状態にある場合には、当該データの編集作業をしている端末のＩＰアドレスと当該端末を操作するユーザのユーザ名を認証者端末一覧から抽出して記憶する。そして、参加者端末１のユーザＡがアプリケーションの終了作業をした場合には、データの編集作業をしている状態にある他の端末のＩＰアドレスと当該端末を操作するユーザのユーザ名を表示部に表示して、参加者端末１のユーザにネットワークから離脱するか否かを確認するようにしても良い。
【００４０】
そして、参加者端末１の離脱可否判定部１５はステップＳ１９においてネットワークから離脱する判断した場合には、上述のアプリケーションの制御により構築されるネットワークからの離脱の処理を行なう（ステップＳ２０）。また離脱可否判定部１５は、ステップＳ１９においてネットワークから離脱しないと判断した場合には、ネットワークへの継続参加の処理（例えば、表示部へネットワークへの離脱不可能の表示をする）を行なう（ステップＳ２１）。
【００４１】
以上、本発明の実施形態について述べたが、本発明により、認証者端末２で参加者端末１の認証を行なうので、認証サーバを用意する必要がない。また参加者端末１の識別情報となるＩＰアドレスと当該参加者端末を操作するユーザ名を含む参加要求情報が参加者端末１から送信されて、この参加要求情報により認証者端末２を操作するユーザが参加の許可または不許可を指定するので、参加者端末１の操作をするユーザの個人情報を予め用意しなくとも認証を行なうことができる。
【００４２】
尚、上述の参加者端末１及び認証者端末２は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【図面の簡単な説明】
【図１】参加者端末と認証者端末の機能ブロック図である。
【図２】認証者端末がネットワークを構成している状況を示す図である。
【図３】参加者端末がネットワークに参加する際の処理を示す図である。
【図４】参加者端末がネットワークから離脱する際の処理を示す図である。
【符号の説明】
１  参加者端末、２  認証者端末、１１  参加要求情報送信部、１２  認証者端末識別情報受信部、１３  離脱要求情報送信部、１４  参加可否判定部、１５離脱可否判定部、１６  認証者端末一覧作成部、１７，２６  ユーザ情報記憶部、１８  参加判定ルール記憶部、１９  離脱判定ルール記憶部、２１  参加可否情報送信部、２２  認証者端末識別情報送信部、２３  離脱可否情報送信部、２４  参加可否判定催促部、２５  離脱可否判定催促部
【図１】
2004213532.tif 000003
【図２】
2004213532.tif 000004
【図３】
2004213532.tif 000005
【図４】
2004213532.tif 000006